(57)【要約】【課題】フォルダを開くことなく、このフォルダに収納された高頻度のデータファイルにアクセスできる情報管理装置を提供する。【解決手段】フォルダに収納されたデータファイルを階層構造によって管理する情報管理装置１０であって、データファイルを示すデータファイル・アイコンの選択回数を計測する回数計測部１６と、データファイル・アイコンの選択回数が所定回数を超えているか否かを判定する頻度判定部１７と、所定回数を超えたデータファイル・アイコンを、収納していたフォルダよりも上位の階層に移動させる対象アイコン移動部１８とを備える。【選択図】図１
2013156885.tif 000002
【特許請求の範囲】
【請求項１】
フォルダに収納されたデータファイルを階層構造によって管理する情報管理装置であって、
前記データファイルを示すデータファイル・アイコンの選択回数を計測する回数計測部と、
前記データファイル・アイコンの選択回数が所定回数を超えているか否かを判定する頻度判定部と、
前記所定回数を超えたデータファイル・アイコンを、前記収納していたフォルダよりも上位の階層に移動させる対象アイコン移動部と
を備えることを特徴とする情報管理装置。
【請求項２】
請求項１に記載の情報管理装置であって、
前記対象アイコン移動部は、前記所定回数を超えたデータファイル・アイコンを前記収納していたフォルダよりも上位の階層に移動する場合、前記所定回数を超えたデータファイル・アイコンと前記収納していたフォルダとを関連付けて記憶部に記憶させることを特徴とする情報管理装置。
【請求項３】
請求項１又は２に記載の情報管理装置であって、
前記所定回数は、前記情報管理装置に管理されるデータファイル・アイコンの所定期間内における選択回数の平均値であることを特徴とする情報管理装置。
【請求項４】
請求項１〜３のいずれか１項に記載の情報管理装置であって、
前記頻度判定部は、所定期間の経過毎に、前記データファイル・アイコンの選択回数が前記所定回数を超えているか否かを判定していることを特徴とする情報管理装置。
【請求項５】
請求項４に記載の情報管理装置であって、
前記対象アイコン移動部は、前記上位の階層に移動していたデータファイル・アイコンの選択回数が当該移動後に新たに決定された所定回数を超えなかった場合、前記上位の階層に移動していたデータファイル・アイコンを前記収納していたフォルダに戻していることを特徴とする情報管理装置。
【発明の詳細な説明】
【技術分野】
【０００１】
本発明は、情報管理装置に関し、詳細には、フォルダに収納されたデータファイルを階層構造によって管理する情報管理装置に関する。
【背景技術】
【０００２】
テキスト、画像や音声等の各データで構成されたデータファイルは、フォルダに収納することができる。このフォルダには、関連した他のデータファイルも収納可能である。また、フォルダを階層構造で関連付けて分類すると、フォルダを上位の階層から下位の階層に枝分かれした状態にて配置できる。
データファイルやフォルダは、アイコンを用いて画面に表示可能である。ユーザがフォルダを開きたい場合、フォルダ・アイコンを選択すると、この開いたフォルダの画面に進み、当該フォルダに収納されたデータファイル・アイコン等を見ることができる。なお、データファイルを開きたい場合には、データファイル・アイコンを選択する。
【０００３】
ここで、ユーザの利便性を向上させるために、例えば、特許文献１，２には、アイコンの表示位置やアイコンの大きさを変更できる技術が提案されている。これにより、例えばデータファイル・アイコンを選択した回数に応じて、このアイコンを使用しやすい位置、例えば開いたフォルダ画面の左端に表示し、さらに、当該アイコンを大きく表示できる。また、選択回数の多いデータファイルのショートカット・アイコンをフォルダ外に表示することも可能になる。
【先行技術文献】
【特許文献】
【０００４】
【特許文献１】特開平１１−１１０１８２号公報
【特許文献２】特開２００７−２７２６５０号公報
【発明の概要】
【発明が解決しようとする課題】
【０００５】
しかしながら、データファイル・アイコンを、開いたフォルダのうちユーザが使用しやすい位置に、しかも、大きく表示できても、このフォルダを開かなければ、ユーザはフォルダに収納された当該データファイルにアクセスできないという問題がある。
この場合に、選択回数の多いデータファイルのショートカット・アイコンをフォルダ外に作成すると、アイコン数が増加する。また、このショートカット・アイコンが、データファイル・アイコンとは異なる階層に設けられるので、ユーザは、当該データファイルに関連する他のデータファイルを見つけ難くなり、他のデータファイルにアクセスし難くなる。
【０００６】
本発明は、上述の如き実情に鑑みてなされたもので、フォルダを開くことなく、このフォルダに収納された高頻度のデータファイルにアクセスできる情報管理装置を提供することを目的とする。
【課題を解決するための手段】
【０００７】
上記課題を解決するために、本発明の第１の技術手段は、フォルダに収納されたデータファイルを階層構造によって管理する情報管理装置であって、前記データファイルを示すデータファイル・アイコンの選択回数を計測する回数計測部と、前記データファイル・アイコンの選択回数が所定回数を超えているか否かを判定する頻度判定部と、前記所定回数を超えたデータファイル・アイコンを、前記収納していたフォルダよりも上位の階層に移動させる対象アイコン移動部とを備えることを特徴とする情報管理装置である。
【０００８】
第２の技術手段は、第１の技術手段において、前記対象アイコン移動部は、前記所定回数を超えたデータファイル・アイコンを前記収納していたフォルダよりも上位の階層に移動する場合、前記所定回数を超えたデータファイル・アイコンと前記収納していたフォルダとを関連付けて記憶部に記憶させることを特徴とするものである。
【０００９】
第３の技術手段は、第１又は２の技術手段において、前記所定回数は、前記情報管理装置に管理されるデータファイル・アイコンの所定期間内における選択回数の平均値であることを特徴とするものである。
【００１０】
第４の技術手段は、第１〜３のいずれか１の技術手段において、前記頻度判定部は、所定期間の経過毎に、前記データファイル・アイコンの選択回数が前記所定回数を超えているか否かを判定していることを特徴とするものである。
【００１１】
第５の技術手段は、第４の技術手段において、前記対象アイコン移動部は、前記上位の階層に移動していたデータファイル・アイコンの選択回数が当該移動後に新たに決定された所定回数を超えなかった場合、前記上位の階層に移動していたデータファイル・アイコンを前記収納していたフォルダに戻していることを特徴とするものである。
【発明の効果】
【００１２】
本発明によれば、高頻度のデータファイルに関するアイコンは、収納していたフォルダ外の使いやすい場所として、当該フォルダよりも上位の階層に移動されており、ユーザはこのフォルダを開けなくても、高頻度のデータファイルにアクセスすることができる。
【図面の簡単な説明】
【００１３】
【図１】本発明の情報管理装置の概略構成図である。
【図２】本発明の情報管理装置に格納される階層構造図である。
【図３】本発明によるデータファイルやフォルダの表示態様図である。
【図４】本発明によるデータファイルやフォルダの表示態様図である。
【図５】本発明による対象アイコンの移動制御を説明するフローチャートである。
【図６】本発明による対象アイコンの移動制御を説明するフローチャートである。
【図７】本発明によるデータファイルやフォルダの表示態様図である。
【図８】本発明の情報管理装置に格納される階層構造図である。
【図９】本発明によるデータファイルやフォルダの表示態様図である。
【図１０】本発明の情報管理装置に格納される階層構造図である。
【図１１】本発明の他の実施例によるデータファイルやフォルダの表示態様図である。
【発明を実施するための形態】
【００１４】
以下、図面を参照しながら本発明の情報管理装置について説明する。図１は、本発明の情報管理装置の概略構成図であり、図１において、１０は情報管理装置、１１はＣＰＵ、１２はＲＯＭ、１３はＲＡＭ、１４はバス、１５は入出力Ｉ／Ｆ、１６は回数計測部、１７は頻度判定部、１８は対象アイコン移動部であり、２０は入力部、２１は表示画面である。
情報管理装置１０は、入力部２０や表示画面２１とともに、例えば、ＭＦＰ（MultiFunction Peripheral）に組み込み可能に構成されている。
【００１５】
このＭＦＰにおいて、入力部２０は、例えば、透明抵抗膜方式のタッチパネルや、接触接点を用いたハードキーからなる操作キーで構成される。このタッチパネルは、例えば、液晶で構成された表示画面２１に重ねて設けられており、ＭＦＰを操作するためのＧＵＩ（Graphical User Interface）を表示画面２１に表示させる。
入力部２０や表示画面２１は、入出力Ｉ／Ｆ１５を介してバス１４に接続されている。このバス１４には、ＣＰＵ（Central Processing Unit）１１、ＲＯＭ（Read Only Memory）１２、ＲＡＭ（Random Access Memory）１３が接続されており、ＣＰＵ１１は、ＲＯＭ１２に記憶されているプログラムをＲＡＭ１３に読み出して実行し、ユーザ所望の画像処理を実行させる。
【００１６】
図２は、本発明の情報管理装置に格納される階層構造図であり、例えば、ＲＡＭ１３には、ホームをルートディレクトリとして複数のフォルダやデータファイルが階層構造をなして格納されている。なお、ＲＡＭ１３が本発明の記憶部に相当するが、この階層構造は、情報管理装置外の記憶装置に格納されてもよい。
図２に示すように、例えば、ホームの直下には、第１フォルダ、第２フォルダ、及び第３フォルダの３個のフォルダ、並びに、データファイルＡ、データファイルＢ、及びデータファイルＥの３個のデータファイルが同列にて展開されている。
【００１７】
一方、第１フォルダには、データファイルＣ、データファイルＤ、データファイルＦ、及びデータファイルＧの４個のデータファイルが収納されている。
このように、図２に示した例で言えば、ホーム直下が上位の階層に、第１フォルダ直下が下位の階層にそれぞれ該当する。
各フォルダは、例えば封筒形状のフォルダ・アイコンで表示され、フォルダ名、例えば、上記構成で言えばフォルダのナンバーに相当する数字がフォルダ・アイコンの略中央位置に記載されている。また、各データファイルは、例えば長方形状のデータファイル・アイコンで表示されており、データファイル名、例えば、上記構成で言えばデータファイルを識別できる文字がデータファイル・アイコンの略中央位置に示されている。
【００１８】
図３は、本発明によるデータファイルやフォルダの表示態様図である。図３（Ａ）は、開いたホームの表示内容であり、各フォルダ・アイコンによって表示された第１フォルダ、第２フォルダや第３フォルダに加え、各データファイル・アイコンによって表示されたデータファイルＡ、データファイルＢやデータファイルＥを見ることができる。
また、このホーム画面の右上位置には、「フォルダ追加」ボタン３１や「自動整理」ボタン３２が設置されている。
【００１９】
ここで、ユーザが第１フォルダを選択すると、図３（Ａ）から図３（Ｂ）に切り替わる。この図３（Ｂ）が、開いた第１フォルダの表示内容であり、各データファイル・アイコンによって表示されたデータファイルＣ、データファイルＤ、データファイルＦやデータファイルＧを見ることができる。
なお、この第１フォルダ画面の右上位置には、「フォルダ追加」ボタン３１や「自動整理」ボタン３２の他、「上へ」ボタン３３が設置されており、ユーザが「上へ」ボタン３３を選択すると、図３（Ｂ）から図３（Ａ）に切り替わる。
【００２０】
さらに、図４は、本発明によるデータファイルやフォルダの表示態様図であり、図３（Ａ）と同じ表示内容の図４（Ａ）において、ユーザが「フォルダ追加」ボタン３１を選択すれば、新たなフォルダを同じくホーム直下に作成できる。例えば「フォルダ追加」ボタン３１を１回選択すると、図４（Ｂ）に示すように、１個のフォルダを、既存の第１フォルダ〜第３フォルダに連続した名称「第４フォルダ」として追加することができる。
【００２１】
図１に戻り、本発明の情報管理装置１０は、回数計測部１６、頻度判定部１７、及び対象アイコン移動部１８を備えている。
回数計測部１６は、ユーザによるデータファイル・アイコンの選択回数を計測しており、その計測結果を頻度判定部１７に出力する。頻度判定部１７は、回数計測部１６で計測されたデータファイル・アイコンの選択回数が所定回数を超えているか否かを判定し、その判定結果を対象アイコン移動部１８に出力している。
【００２２】
そして、対象アイコン移動部１８は、頻度判定部１８で判定された所定回数を超えたデータファイル・アイコンを収納していたフォルダよりも上位の階層に移動させている。これにより、ユーザは当該フォルダを開けなくても、高頻度のデータファイルにアクセスできる。
また、この対象アイコン移動部１８は、データファイル・アイコンを上位の階層に移動させる際、当該データファイル・アイコンの名称を収納していたフォルダに関連した名称に変更する機能も有しており、この変更後の名称や階層をＲＡＭ１３に記憶させる。
【００２３】
図５及び図６は、本発明による対象アイコンの移動制御を説明するフローチャートである。
まず、図５のステップＳ１では、ＣＰＵ１１がホーム直下のデータファイル及びフォルダをＲＡＭ１３から呼び出す。図２の例で言えば、第１フォルダ、第２フォルダ、及び第３フォルダの３個のフォルダ、並びに、データファイルＡ、データファイルＢ、及びデータファイルＥの３個のデータファイルが呼び出される。
【００２４】
次いで、回数計測部１６が全てのデータファイル・アイコンの選択回数をフォルダ毎に呼び出し（ステップＳ２）、例えば、算術平均による平均選択回数を求める（ステップＳ３）。この平均選択回数は、所定期間内、例えば、前回の平均値算出時から今回の平均値算出時までにおけるアイコンの選択回数を算術平均するが、ＭＦＰの主電源のオン期間中などＭＦＰの使用態様に応じた期間を選択できる。
図２の例で言えば、仮に、第２，３フォルダには、データファイルやフォルダが存在せず、データファイルはホーム直下及び第１フォルダ直下にだけ存在している場合を想定して説明すれば、データファイル・アイコンの選択回数は、ホーム直下のデータファイルＡが９回、データファイルＢが１５回、データファイルＥが１５回であり、第１フォルダのデータファイルＣが１１回、データファイルＤが１０回、データファイルＦが１１回、及びデータファイルＧが９回であったとすると、回数計測部１６は現時点の平均選択回数１１．４回を求めることができる。なお、呼び出されるデータファイル・アイコンの選択回数は、全てのデータファイルの他、特定のフォルダ内のデータファイルのみであってもよい。
【００２５】
続いて、頻度判定部１７は、データファイル・アイコンの選択回数を１つずつ呼び出し（ステップＳ４）、下位の階層に属するデータファイルである場合（ステップＳ５のＹＥＳ）、そのアイコンの選択回数が上記平均選択回数を超えているか否かを判定する（ステップＳ６）。
図２の例で言えば、データファイルＡ、データファイルＢ、及びデータファイルＥは上位の階層に位置するので、移動の対象アイコンに指定しない（ステップＳ５のＮＯ）。そこで、まず、下位の階層に属するデータファイルＣを呼び出す。しかし、現時点のデータファイルＣ（選択回数１１回）は上記平均選択回数（１１．４回）を超えていない（ステップＳ６のＮＯ）。
【００２６】
このため、ステップＳ９に直ちに進む。次に、データファイルＤ、データファイルＦ、データファイルＧの順に比較し、全てのデータファイルと上記平均選択回数との比較が終了するまでは、ステップＳ１１からステップＳ５に戻っており、データファイル・アイコンの選択回数の呼び出し（ステップＳ１１）、そのデータファイルを有する階層の判定（ステップＳ５）、高頻度のデータファイルであるかの判定（ステップＳ６）等が繰り返される。
【００２７】
この図２の例で言えば、現時点では、データファイルＤ、データファイルＦやデータファイルＧのいずれも上記平均選択回数（１１．４回）を超えていない。よって、下位の階層に属するデータファイルであったとしても（ステップＳ５のＹＥＳ）、対象アイコン移動部１８によるデータファイル名の変更（ステップＳ７）や、上位の階層への移動（ステップＳ８）は実行されない。この場合には、全てのデータファイルに対する比較の終了後に（ステップＳ９のＹＥＳ）、各階層の表示に移行する（ステップＳ１０）。なお、この表示に移行するデータファイルやフォルダはＲＡＭ１３に格納される。
【００２８】
続いて、例えば、朝（７：００）、晩（１９：００）の１日２回のような所定の時刻に達した場合（ステップＳ１２のＹＥＳ）、ステップＳ２に戻り、回数計測部１６が全てのデータファイル・アイコンの選択回数を呼び出し、上記ステップＳ３〜Ｓ１１の動作に入る。これに対し、この所定の時刻以外は図６のステップＳ１３に進む。
なお、図６のステップＳ１３において、ＣＰＵ１１が、ユーザによるフォルダの選択を判定した場合（ステップＳ１３のＹＥＳ）、その選択したフォルダ内のデータファイルをＲＡＭ１３から呼び出す（ステップＳ１４）。また、この開いたフォルダ画面に、収納されているデータファイルや「上へ」ボタン３３を表示させる（ステップＳ１５，ステップＳ１６）。
【００２９】
そして、この「上へ」ボタン３３をフォルダ画面に表示させた場合、或いは、ＣＰＵ１１がフォルダ以外の選択を判定した場合（ステップＳ１３のＮＯ）には、ステップＳ１７に進み、データファイルの選択の有無を判定する。
ＣＰＵ１１は、ユーザによるデータファイルの選択を判定した場合（ステップＳ１７のＹＥＳ）、そのデータファイル・アイコンの選択回数に１を加算し（ステップＳ１８）、当該データファイルを開くなど、このデータファイルの選択に伴う処理を実行する（ステップＳ１９）。
【００３０】
図２で説明した例で言えば、図３（Ｂ）の第１フォルダ画面において、ユーザがデータファイルＦを選択すると、そのデータファイル・アイコンの選択回数（１１回）に１が加算されて１２回になる。
ただし、データファイルＦの選択に続き、仮に、第１フォルダ画面にて「自動整理」ボタン３２が選択される（ステップＳ２０のＹＥＳ）、さらには「上へ」ボタン３３が選択される（ステップＳ２１のＹＥＳ）ような、第１フォルダ画面への操作があっても、この選択回数の増えた時点（ステップＳ１８）では、データファイルＦに関するデータファイル名の変更や、データファイル・アイコンの移動は行われず、対象アイコンの移動に要する処理の煩雑化を回避している。
【００３１】
したがって、この場合には、例えば、朝、晩のような所定期間の経過に伴い（図５のステップＳ１２のＹＥＳ）、回数計測部１６が全てのデータファイル・アイコンの選択回数を呼び出し（図５のステップＳ２）、平均選択回数を求めると（図５のステップＳ３）、データファイルＦの選択回数が１２回に増え、同時に、新たな平均選択回数１１．６回が得られる。つまり、現時点のデータファイルＦがこの新たな平均選択回数を超えていることが分かる（図５のステップＳ６のＹＥＳ）。
【００３２】
そこで、対象アイコン移動部１８は、データファイルＦのアイコンに対し、その名称「Ｆ」に続き、第１フォルダに収納されていた旨の識別表示として、アンダーバーと当該フォルダのナンバーとを追加する（図５のステップＳ７）。
さらに、対象アイコン移動部１８は、データファイルＦだけを、第１フォルダよりも上位の階層であるホームに移動させる（図５のステップＳ８）。そして、新たな名称や階層を取得したデータファイルＦはＲＡＭ１３に格納される。
【００３３】
図７は、本発明によるデータファイルやフォルダの表示態様図であり、図８は、本発明の情報管理装置に格納される階層構造図である。
上記のように、上記平均選択回数を超えたデータファイルＦは、第１フォルダ内から消えるとともに、「Ｆ＿１」という新たな名称になり、ホーム直下の第１フォルダ、第２フォルダ、第３フォルダ、データファイルＡ、データファイルＢ、データファイルＥと同列に表示される。
【００３４】
このように、データファイルＦは高頻度のデータファイルに判定されると、そのアイコンは、収納していた第１フォルダよりも上位の階層であるホーム画面に表示されており、ユーザは第１フォルダを開けなくても、ホームを開けば、高頻度のデータファイルＦにアクセスすることができる。また、データファイルＦのアイコンは、ホーム画面にコピーされるのではなく、ホーム画面に移動しており、アイコン数は増えていない。
【００３５】
さらに、対象アイコン移動部１８は、データファイルＦをホーム画面に移動する場合、「Ｆ＿１」の新名称を付し、データファイルＦと移動前の第１フォルダとを関連付けてＲＡＭ１３に記憶させており、高頻度のデータファイルＦをホームに移動させた後にも、このデータファイルＦを移動前の第１フォルダに容易に戻すことができる。しかも、ユーザは、この第１フォルダに関する表示「＊＿１」を手掛かりにして、データファイルＦに関連する他のデータファイルにも移動前の第１フォルダから容易にアクセスできる。
【００３６】
図９は、本発明によるデータファイルやフォルダの表示態様図であり、図１０は、本発明の情報管理装置に格納される階層構造図である。
図７と同じ表示内容の図９（Ａ）において、ユーザが「自動整理」ボタン３２を選択すると（図６のステップＳ２０のＹＥＳ）、図５のステップＳ７でデータファイル名を変更したデータファイルであるか否かを判定する（図６のステップＳ２４）。データファイル名を変更した場合（図６のステップＳ２４のＹＥＳ）、このデータファイルを移動前のフォルダに戻した後にステップＳ２６に進む（図６のステップＳ２５）。
【００３７】
具体的には、図９（Ａ）や図１０に示す新たな名称「Ｆ＿１」であって、ホーム画面に表示されていたデータファイルＦは、ホーム画面から消えるとともに（図９（Ｂ））、その選択回数（１２回）は維持されるものの、「Ｆ」という元の名称に戻り、第１フォルダ画面にて、データファイルＣ、データファイルＤ、及びデータファイルＧと同列に表示される。また、図３（Ｂ）と同じ表示内容になり、データファイルＤとデータファイルＧとの間に収められる。
【００３８】
なお、図９（Ａ）で「自動整理」ボタン３２を選択しても、ユーザの最終確認を得てから移動前のフォルダに戻してもよい。また、検討対象のデータファイルがその名称を変更していない場合には（図６のステップＳ２４のＮＯ）、直ちに図６のステップＳ２６に進む。その後、データファイル名の変更の有無について、全てのデータファイルへの検討（図６のステップＳ２６，ステップＳ２７）が終了したら図６のステップＳ２１に進んでいる。
【００３９】
図９（Ａ）の画面のようにユーザが「上へ」ボタン３３を選択できない場合、或いは、図３（Ｂ）の画面にてユーザが「上へ」ボタン３３を選択しない場合（図６のステップＳ２１のＮＯ）、図５のステップＳ１２に戻る。
一方、この図３（Ｂ）の画面において、ユーザが「上へ」ボタン３３を選択すると（図６のステップＳ２１のＹＥＳ）、ＣＰＵ１１はホーム直下のデータファイル及びフォルダをＲＡＭ１３から呼び出し（図６のステップＳ２２）、各階層の表示に移行した後（図６のステップＳ２３）、図５のステップＳ１２に戻る。
【００４０】
なお、上記実施例の頻度判定部は、データファイル・アイコンの選択回数の平均値を用いて判定しているが、例えば、１５回のような所定回数を超えた場合、移動の対象アイコンと判定してもよい。
ところで、上記「自動整理」ボタン３２を選択することなく、移動前のフォルダに自動的に戻すことも可能である。具体的には、対象アイコン移動部１８は、仮に、上位の階層に移動していたデータファイル・アイコンの選択回数が当該移動後に新たに決定された所定回数、例えば、新たに求められた平均選択回数や新たに求められた上記１５回のような所定回数を下回った場合、若しくは、上位の階層に移動したデータファイル・アイコンの総数が１画面に表示できない相当数にまで増えた場合、又は、この相当数に達しているものと想定できる期間（例えば１か月）が経過した場合などに、上位の階層に移動していたデータファイル・アイコンを収納していたフォルダに戻すことも可能である。この場合には、上位の階層に多くのデータファイル・アイコンが集まって所望のアイコンを見つけ難くなるのを防止できる。
【００４１】
また、図１１は、本発明の他の実施例によるデータファイルやフォルダの表示態様図である。上述の実施例では、図７で説明したように、平均選択回数を超えたデータファイルＦは、「Ｆ＿１」という新たな名称になって、ホーム直下に移動しており、アイコン数を増やさずに済む。しかし、ユーザによるデータファイルへのアクセスの容易を鑑みれば、データファイルＦのショートカット・アイコンをホーム直下に作成することも可能である。
【００４２】
詳しくは、データファイルＦは、そのアイコンを第１フォルダ内に残す一方、例えば、ショートカットである旨の表示や矢印付きのようなショートカット・アイコンをホーム直下に作成してもよい。また、この場合には、図５，６のフローチャートにおいて、図５のステップＳ７，８に替え、ショートカット・アイコンを上位の階層に作成し、さらに、図６のステップＳ２２，２３にて、ユーザが「上へ」ボタン３３を選択した際（図６のステップＳ２１のＹＥＳ）、ホーム直下のデータファイル及びフォルダの各アイコンとともに、ショートカット・アイコンもＲＡＭ１３から呼び出せばよい。
【００４３】
また、移動の対象とするショートカット・アイコンは、画面上に表示されているショートカット・アイコン、即ち、ディスクトップに表示されているファイル内のショートカット・アイコンに限定しても良い。
【符号の説明】
【００４４】
１０…情報管理装置、１１…ＣＰＵ、１２…ＲＯＭ、１３…ＲＡＭ、１４…バス、１５…入出力Ｉ／Ｆ、１６…回数計測部、１７…頻度判定部、１８…対象アイコン移動部、２０…入力部、２１…表示画面、３１…「フォルダ追加」ボタン、３２…「自動整理」ボタン、３３…「上へ」ボタン。
【図１】
2013156885.tif 000003
【図２】
2013156885.tif 000004
【図３】
2013156885.tif 000005
【図４】
2013156885.tif 000006
【図５】
2013156885.tif 000007
【図６】
2013156885.tif 000008
【図７】
2013156885.tif 000009
【図８】
2013156885.tif 000010
【図９】
2013156885.tif 000011
【図１０】
2013156885.tif 000012
【図１１】
2013156885.tif 000013